(57)【要約】【課題】熱動形過負荷継電器に組み込まれた調整ダイヤル機構の組立部品点数，組立工数を削減してコストダウンを図る。【解決手段】外郭ケース１に、出力接点機構を駆動する釈放レバーを軸支保持する調整リンク１１、および該調整リンクに連繋させて整定電流の調整を行うカム付きの調整ダイヤル１２を備えた熱動形過負荷継電器において、外郭ケースと調整ダイヤルの周面との間に介装して調整ダイヤルを定位置に押圧保持するバネ部材１４にフック状の脚部を形成し、該脚部を調整リンクに掛合してその先端部を調整ダイヤルのカム面に押圧付勢するものとし、具体的には前記バネ部材をＵ字状に屈曲して外郭ケースと調整ダイヤルの周面との間に圧挿したダイヤル保持部１４ａと、該部の先端から延在して調整リンクの背面に掛合させたフック状脚部１４ｂとを形成したバネ線材の曲げ加工品で構成する。【選択図】      図１
2005116370.tif 000002
【特許請求の範囲】
【請求項１】
外郭ケースに、過電流の通電により湾曲する主バイメタルと、主バイメタルの湾曲に応動変位するシフタと、該シフタの変位に従動する釈放レバーと、釈放レバーで駆動される出力接点開閉機構と、前記釈放レバーを軸支保持した調整リンクと、調整リンクの一端に連繋して整定電流の調整を行うカム付きの調整ダイヤルを内装配備し、主バイメタルの湾曲を捉えて出力接点を開閉する熱動形過負荷継電器において、
外郭ケースと調整ダイヤルの周面との間に介装して調整ダイヤルを定位置に押圧保持するバネ部材にフック状の脚部を設け、該脚部を調整リンクに掛合してその先端部を調整ダイヤルのカム部周面に押圧付勢するようにしたことを特徴とする熱動形過負荷継電器。
【請求項２】
請求項１に記載の熱動形過負荷継電器において、バネ部材がバネ線材の曲げ加工品であり、Ｕ字状に屈曲して外郭ケースと調整ダイヤルの周面との間に圧挿するダイヤル保持部と、該保持部の先端から延在して調整リンクの背面に掛合させるフック状の脚部とからなることを特徴とする熱動形過負荷継電器。
【発明の詳細な説明】
【技術分野】
【０００１】
本発明は、電磁接触器などに組み合わせて使用する熱動形過負荷継電器（サーマルリレー）に関し、詳しくはその調整ダイヤル機構の組立構造に係わる。
【背景技術】
【０００２】
まず、頭記した熱動形過負荷継電器の従来構造を図４〜図６で説明する。図４において、１は樹脂モールド製の外郭ケース、２は主回路に接続したヒータ２ａの発熱を受けて湾曲する主バイメタル、３は主バイメタル２の自由端に連繋させたシフター、４はシフター３の変位に従動する釈放レバー、５は釈放レバー４で駆動される出力接点の開閉機構で、該開閉機構５は釈放レバー４に連繋させた反転バネ６と、反転バネ６に連結したスライダ７と、スライダ７の動きに応動して開閉動作する出力接点８（ａ接点）および９（ｂ接点）と、リセット棒１０との組立体からなる。また、１１は前記釈放レバー４を揺動可能に軸支保持した調整リンク、１２は調整リンク１１の上端側に連繋させて整定電流を調整する調整ダイヤルである。
ここで、調整リンク１１は、図５(a),(b) で示すような構造体であり、その中央部に形成した軸受部１１ａが外郭ケース１に設けた支軸１ａに軸支され、下端側に設けたリンクピン１１ｂで前記の釈放レバー４を軸支保持している。また、調整リンクの上端には微調整用カム１１ｃを設け、該カム１１ｃを調整ダイヤル１２の下部に設けたカム部（偏芯カム）１２ａの周面に当接させるようにしており、さらに調整リンク１１の中間部背面（軸受孔の位置よりも多少上位）には両翼をＶ字形に屈曲した板バネ１３をかしめ止めし、図４の組立状態で前記板バネ１３の両翼端を外郭ケース１の内壁面に圧接させ、そのバネ反力で調整リンク１１の上端に設けたカム１１ｃを調整ダイヤル１２のカム部周面に押しつけるようしている。また、調整ダイヤル１２を所定の組み込み位置に保持させるために、調整ダイヤル１２の周面と外郭ケース１との間には、図６で示すようにバネ線材（例えばピアノ線）を図示のような形状に曲げ加工したバネ部材１４を撓ませた状態で介装し、そのバネ反力で調整ダイヤル１２を定位置に押圧保持するようにしている。
【０００３】
なお、調整リンク１１を調整ダイヤル１２のカム部に押圧する前記板バネ１３の詳細な構造，機能については特許文献１に、また調整ダイヤル１２を定位置に押圧保持させるバネ部材１４については特許文献２に開示されている。
上記熱動形過負荷継電器の動作は周知であり、主回路に流れる過負荷電流により主バイメタル２が湾曲すると、シフター３を介して釈放レバー４が支軸１１ｂを中点に回転して反転バネ６を反転させ、開閉機構５のスライダ７を駆動して出力接点８，９を反転動作させて接点信号を出力する。
【特許文献１】実開平４−２４４１号公報
【特許文献２】実開昭５３−９５１６８号公報（図４，図５）
【発明の開示】
【発明が解決しようとする課題】
【０００４】
ところで、前記した従来構成の熱動形過負荷継電器では、調整リンク１１，調節ダイヤル１２を定位置に保持するために、板バネ１３およびバネ部材１４の二つの別部品を用意しており、このために製品組立での部品点数，組立工数が多くなる問題があった。
本発明は上記の点に鑑みなされたものであり、コストダウンを目標に、前記調整ダイヤル，調整リンクを定位置に保持する部品点数，組立工数が削減できるように調整ダイヤル機構の組立構造を改良した熱動形過負荷継電器を提供することを目的とする。
【課題を解決するための手段】
【０００５】
上記目的を達成するために、本発明によれば、外郭ケース内に、過電流の通電により湾曲する主バイメタルと、主バイメタルの湾曲に応動変位するシフターと、該シフタの変位に従動する釈放レバーと、釈放レバーで駆動される出力接点開閉機構と、前記釈放レバーを軸支保持した調整リンクと、調整リンクの一端に連繋して整定電流の調整を行うカム付きの調整ダイヤルを配備し、主バイメタルの湾曲を捉えて出力接点を開閉する熱動形過負荷継電器において、
外郭ケースと調整ダイヤルの周面との間に介装して調整ダイヤルを定位置に押圧保持するバネ部材にフック状の脚部を設け、該脚部を調整リンクに掛合してその先端部を調整ダイヤルのカム面に押圧付勢する（請求項１）ものとし、その具体的な実施の態様として、前記バネ部材を、Ｕ字状に屈曲して外郭ケースと調整ダイヤルの周面との間に圧挿するダイヤル保持部と、該保持部の先端から延在して調整リンクの背面に掛合させるフック状脚部とを形成したバネ線材の曲げ加工品で構成する（請求項２）。
【発明の効果】
【０００６】
上記の構成によれば、従来，二つの独立部品に分けて調整ダイヤル機構に組付けていた組立部品を簡単な一つの線ばね部品で対応でき、これにより部品点数，組立工数を削減してコスト低減化が図れる。
【発明を実施するための最良の形態】
【０００７】
以下、発明を実施する具体的な形態を図１〜図３に示す実施例に基づいて説明する。なお、実施例の図中で図４〜図６に対応する同一部材には同じ符号を付してその説明は省略する。
すなわち、図示実施例においては、外郭ケース１と調整ダイヤル１２の周面との間に介装して調整ダイヤルを定位置に押圧保持するバネ部材１４にフック状の脚部を設けてこの脚部を調整リンクに掛合し、該脚部のバネ力で調整リンクの上端側に設けた微調整用カム１１ｃを調整ダイヤル１２のカム面に押圧付勢するようにしている。
具体的には図２(a),(b) で示すように、バネ線材（例えばピアノ線）をＵ字状に曲げ加工して外郭ケース１の内壁面と調整ダイヤル１２の周面との間に撓ませた状態で圧挿するダイヤル保持部１４ａから下方に延在して調整リンク１１の背面に掛合させ、そのバネ力で調整リンク１１のカム１１ｃを調整ダイヤル１２のカム部１２ａの周面に押圧付勢するように形成したＬ字形のフック状脚部１４ｂを形成してバネ部材１４を構成している。なお、この実施例では、図４の従来構造で調整リンク１１の背面に付設していた板バネ１３は省略している。
【０００８】
そして、熱動形過負荷継電器の組立工程では、線バネで作られた前記バネ部材１４のダイヤル保持部１４ａを外郭ケース１の内壁面と調整ダイヤル１２との間に圧挿した上で、脚部１４ｂを調整リンク１１の背面に掛合する。これにより、バネ部材１４の凹部１４ａ−１が調整ダイヤル１２を矢印Ｂ方向に押圧してダイヤルを所定位置に保持するとともに、同時にバネ部材１４の脚部１４ｂが調整リンク１１を矢印Ｃ方向に押圧して、調整リンク１１の上端に設けたカム１１ｃを調整ダイヤル１２のカム部１２ａに押圧させることができる。
【図面の簡単な説明】
【０００９】
【図１】本発明の実施例による調整ダイヤル機構の組立構造図で、(a),(b) はそれぞれ正面図，および側面図
【図２】図１におけるバネ部材の形状を表す図で、(a),(b) はそれぞれ側面図，および平面図
【図３】図１の組立構造を採用した熱動形過負荷継電器の全体構成図
【図４】図３に対応する従来の熱動形過負荷継電器の全体構成図
【図５】図４における調整ダイヤル機構の組立構造図で、(a),(b) はそれぞれ正面図，および側面図
【図６】図５の組立構造に用いて調整ダイヤルを保持するバネ部材の形状を表す図で、(a),(b) はそれぞれ側面図，および平面図
【符号の説明】
【００１０】
１    外郭ケース
２    主バイメタル
３    シフター
４    釈放レバー
５    出力接点の開閉機構
１１    調整リンク
１２    調整ダイヤル
１２ａ  カム部
１４    バネ部材
１４ａ  ダイヤル保持部
１４ｂ  脚部
【図１】
2005116370.tif 000003
【図２】
2005116370.tif 000004
【図３】
2005116370.tif 000005
【図４】
2005116370.tif 000006
【図５】
2005116370.tif 000007
【図６】
2005116370.tif 000008